(57)【特許請求の範囲】
【請求項１】
低音域の音声を出力する低音スピーカーと中音域および高音域の音声を出力する中高音スピーカーとを備えるスピーカーと、
前記スピーカーに対向配置されて、前記低音スピーカーに正対する平面部と前記中高音スピーカーに対向する位置で一端側が他端側よりも前記スピーカーから離間する方向に湾曲する曲面部とを備える曲面部材と、
を備えることを特徴とする音声出力装置。
【請求項３】
前記中高音スピーカーは、前記低音スピーカーよりも受聴対象側に配置されていることを特徴とする請求項１に記載の音声出力装置。
【請求項４】
前記中高音スピーカーを間にして前記低音スピーカーとは反対側に設けられて、前記スピーカーと前記曲面部材との間の空間を装置外部に開放する開口部を備えることを特徴とする請求項１または３に記載の音声出力装置。
【請求項５】
前記中高音スピーカーの天地方向上側に設けられて、前記スピーカーと前記曲面部材との間の空間を装置外部に開放する開口部を備えることを特徴とする請求項１または３に記載の音声出力装置。
【請求項６】
前記低音スピーカーを間にして前記中高音スピーカーとは反対側に設けられて、前記スピーカーと前記曲面部材との間の空間を装置外部に開放する開口部を備えることを特徴とする請求項１または３に記載の音声出力装置。
【請求項７】
前記低音スピーカーの天地方向地側に設けられて、前記低音スピーカーの少なくとも一部を装置外部に開放する開口部を備えることを特徴とする請求項１または３に記載の音声出力装置。
【請求項８】
前記曲面部材は、前記受聴対象側ほど前記スピーカーから離間するように湾曲することを特徴とする請求項１に記載の音声出力装置。
【請求項９】
前記曲面部材は、２次曲面であることを特徴とする請求項１に記載の音声出力装置。
【請求項１０】
前記曲面部材は、３次曲面であることを特徴とする請求項１に記載の音声出力装置。
【請求項１１】
低音スピーカーよりも中高音スピーカーを受聴対象側にして配置される請求項１に記載の音声出力装置と、
前記音声出力装置が出力する音声に関する音声信号を前記音声出力装置に出力する制御装置を収容する収容部材と、
を備えることを特徴とする音響機器収容装置。
【請求項１２】
前記音声出力装置は、前記収容部材を間にして当該収容部材の両側方に配置されることを特徴とする請求項１１に記載の音響機器収容装置。
【発明の詳細な説明】
【技術分野】
【０００１】
この発明は、音声を出力する音声出力装置、および、当該音声出力装置を含む音響機器を収容する音響機器収容装置に関する。ただし、この発明の利用は、前述の音声出力装置および音響機器収容装置に限るものではない。
【背景技術】
【０００２】
従来、アンプで増幅した音声信号に基づいてスピーカーコーンやバッフル板を振動させることで音声を出力する音声出力装置があった。このような音声出力装置は、一般的に、音声出力装置において音声出力源となるスピーカーコーンやバッフル板などを受聴対象側に向けた状態で配置されていた。
【０００３】
また、従来、このような音声出力装置を複数台用いて、室内の複数箇所に配置した各音声出力装置から出力する音声や当該音声の出力タイミングを調整することで、サラウンド効果を得るなど、受聴者にとって良好な音場を形成するようにしていた。また、従来、良好な音場を形成する技術として、たとえば、特許文献１〜３に記載された技術がある。
【０００４】
【特許文献１】
特開平６−９０４９４号公報
【特許文献２】
実開平５−８８０９０号公報
【特許文献３】
特開２０００−１５２３６４号公報
【発明の開示】
【発明が解決しようとする課題】
【０００５】
しかしながら、上述したように、従来の音声出力装置では、スピーカーコーンやバッフル板などが受聴対象側に露出した状態で配置されているため、見る者に無機質な印象を与え、周囲の家具などとの調和がとれずに室内のインテリア性を損なう懸念があるという問題が一例として挙げられる。一方で、音声出力装置を受聴者から見えない位置に配置した場合、出力される音声がこもるなどして音質が低下するという問題が一例として挙げられる。このような問題は、上述した特許文献１に記載された技術でも同様であった。
［０００６］
また、上述した従来の技術のうち、特許文献２，３に記載された技術では、たとえば、室内のソファ付近などのように、特定の場所において最適となる音場が形成されるため、当該特定の場所以外では必ずしも良好な音場が形成されるわけではないという問題が一例として挙げられる。
課題を解決するための手段
［０００７］
請求項１の発明にかかる音声出力装置は、低音域の音声を出力する低音スピーカーと中音域および高音域の音声を出力する中高音スピーカーとを備えるスピーカーと、前記スピーカーに対向配置されて、前記低音スピーカーに正対する平面部と前記中高音スピーカーに対向する位置で一端側が他端側よりも前記スピーカーから離間する方向に湾曲する曲面部とを備える曲面部材と、を備えることを特徴とする。
［０００８］
請求項１１の発明にかかる音響機器収容装置は、低音スピーカーよりも中高音スピーカーを受聴対象側にして配置される請求項１に記載の音声出力装置と、前記音声出力装置が出力する音声に関する音声信号を前記音声出力装置に出力する制御装置を収容する収容部材と、を備えることを特徴とする。
【図面の簡単な説明】
［０００９］
［図１］図１は、実施の形態の音声出力装置を示す正面図である。
［図２］図２は、この発明の実施の形態にかかる音響機器収容装置の一例を示す正面図である。
［図３］図３は、実施例１のステレオ装置を示す斜視図である。
［図４］図４は、実施例１のステレオ装置を示す正面図（その１）である。
［図５］図５は、音声出力装置を示す斜視図である。
［図６］図６は、天板を取り外した状態の音声出力装置を示す斜視図である。
［図７］図７は、音声出力装置を示す断面図である。
［図８］図８は、音声出力装置が出力した音声の伝播の様子について説明する説明図（その１）である。
［図９］図９は、音声出力装置が出力した音声の伝播の様子について説明する説明図（その２）である。
［図１０］図１０は、音声出力装置が出力した音声の伝播の様子について説明する説明図（その３）である。
【図１１】図１１は、音声出力装置が出力した音声の伝播の様子について説明する説明図（その４）である。
【図１２】図１２は、ステレオ装置を示す正面図（その２）である。
【図１３】図１３は、比較用のステレオ装置を示す正面図である。
【図１４】図１４は、実施例２のステレオ装置が備える音声出力装置を示す正面図である。
【図１５】図１５は、音声出力装置が出力した音声の伝播の様子について説明する説明図（その５）である。
【図１６】図１６は、音声出力装置が出力した音声の伝播の様子について説明する説明図（その６）である。
【符号の説明】
【００１０】
１００  音声出力装置
１０１  スピーカー
１０２  曲面部材
１０３  低音スピーカー
１０４  中高音スピーカー
１０５  平面部
１０６  曲面部
【発明を実施するための最良の形態】
【００１１】
以下に添付図面を参照して、この発明にかかる音声出力装置および音響機器収容装置の好適な実施の形態を詳細に説明する。
【００１２】
図１は、実施の形態の音声出力装置を示す正面図である。図１に示したように、実施の形態の音声出力装置１００は、音声を出力するスピーカー１０１と、曲面部材１０２と、を備えている。スピーカー１０１は、低音域の音声を出力する低音スピーカー１０３と、中音域および高音域の音声を出力する中高音スピーカー１０４と、を備えている。中高音スピーカー１０４は、低音スピーカー１０３よりも受聴対象側に配置されている。
【００１３】
曲面部材１０２は、スピーカー１０１に対向配置されており、一端側が他端側よりもスピーカー１０１から離間する方向に湾曲した形状を有している。曲面部材１０２は、受聴対象側ほどスピーカー１０１から離間するように湾曲している。曲面部材１０２は、低音スピーカー１０３に正対する平面部１０５と中高音スピーカー１０４に対向する位置で湾曲する曲面部１０６とを備えている。曲面部材１０２は、２次曲面であってもよいし、３次曲面であってもよい。
【００１４】
音声出力装置１００において、図１中紙面手前側（中高音スピーカー１０４を間にして低音スピーカー１０３とは反対側）となる位置は、スピーカー１０１と曲面部材１０２との間の空間を音声出力装置１００の外部に開放する開口部とされている。この開口部とスピーカー１０１と曲面部材１０２とによって、スピーカー１０１と曲面部材１０２との間にはホーン型の空間が形成されている。
【００１５】
また、音声出力装置１００において、図１中紙面上側となる位置は、スピーカー１０１と曲面部材１０２との間の空間を音声出力装置１００の外部に開放する開口部とされている。また、音声出力装置１００において、図１中紙面奥側（低音スピーカー１０３を間にして中高音スピーカー１０４とは反対側）は、スピーカー１０１と曲面部材１０２との間の空間を音声出力装置１００の外部に開放する開口部とされている。
【００１６】
図示を省略するが、音声出力装置１００において、スピーカー１０１を支持する底板１０７には、底板１０７の板厚方向に底板１０７を貫通する開口部が設けられている。底板１０７に設けられた開口部によって、低音スピーカー１０３の少なくとも一部は、音声出力装置１００の外部に開放されている。
【００１７】
図２は、この発明の実施の形態にかかる音響機器収容装置の一例を示す正面図である。図２に示したように、この発明の実施の形態にかかる音響機器収容装置２００は、上述した音声出力装置１００と、収容部材２０１と、を備えている。図示を省略するが、収容部材２０１は、音声出力装置１００が出力する音声に関する音声信号を音声出力装置１００に出力する制御装置を収容する収容空間を備えている。
【００１８】
収容部材２０１は、収容空間の内部と外部とを区切る扉部材２０２を備えている。扉部材２０２は、たとえば、利用者が手動で開閉するタイプであってもよいし、リモートコントローラから出力された開閉制御信号に応じて電動で開閉するタイプであってもよい。また、扉部材２０２の開閉方式は、たとえば、引き分け式、観音開き方式、フラップ方式など各種の方式を用いることができる。
【００１９】
音声出力装置１００は、収容部材２０１を間にして収容部材２０１の両側方に配置されている。音響機器収容装置２００は、音声出力装置１００におけるスピーカー１０１および曲面部材１０２間の距離が大きい方の側を受聴対象側に向けた状態で、室内などに設置される。
【００２０】
音声出力装置１００は、制御装置から音声出力装置１００に出力された制御信号に応じて、スピーカー１０１から音声を出力する。スピーカー１０１が音声を出力すると、一部の音声はスピーカー１０１から直接受聴者側に伝播し、別の一部の音声は曲面部材１０２によって反射されてから受聴者側に伝播する。曲面部材１０２によって反射される音声のうち、中高音スピーカー１０４から出力された音声（中高音域の音声）は、曲面部１０６によって反射されることによって多方向に伝播する。低音スピーカー１０３から出力された音声（低音域の音声）は、スピーカー１０１と曲面部材１０２との間に形成されたホーン型の空間によって増幅されて、図１中紙面手前側の開口部から音声出力装置１００の外部に出力される。
【００２１】
上述したように、実施の形態の音声出力装置１００によれば、スピーカー１０１から直接出力された音声と、スピーカー１０１から出力されて曲面部材１０２によって多方向に反射されることで広範囲に拡散された音声と、が受聴者側に伝播するので、受聴場所を限定することなく広範囲に亘って良好な音場を形成することができる。
【００２２】
また、実施の形態の音声出力装置１００によれば、曲面部材１０２の存在によってスピーカー１０１を外部から見えにくくすることができるので、音声出力装置１００が受聴者に対して与える機械的な印象を低減し、音声出力装置１００を設置することによって室内のインテリア性を低下させることなく、受聴場所を限定することのない良好な音場を広範囲に亘って形成することができる。
【００２３】
これによって、受聴者は、音声出力装置１００の存在を意識することなく、室内の任意の場所で高品質の音声を受聴することができる。
【００２４】
また、実施の形態の音声出力装置１００によれば、低音スピーカー１０３に正対する平面部１０５によって低音域の音声を増幅し、中高音スピーカー１０４によって中高音域の音声を多方向に反射することで、高音域の音声を広範囲に伝播させることができるので、室内のインテリア性を低下させることなく、受聴場所を限定することのない良好な音場を広範囲に亘って形成することができる。これによって、受聴者は、音声出力装置１００の存在を意識することなく、室内の任意の場所で高品質かつ高音域の音声を受聴することができる。
【００２５】
また、実施の形態の音声出力装置１００によれば、出力方向によって受聴時の音質に影響を与える中高音域の音声の出力を妨げることなく、高音域の音声を広範囲に伝播させることができるので、室内のインテリア性を低下させることなく、受聴場所を限定することのない良好な音場を広範囲に亘って形成することができる。これによって、受聴者は、音声出力装置１００の存在を意識することなく、室内の任意の場所で高品質かつ高音域の音声を受聴することができる。
【００２６】
また、実施の形態の音声出力装置１００によれば、中高音域の音声を、音声出力装置１００の内部でこもらせることなく、図１中紙面手前側や上側に設けられた開口部を介して音声出力装置１００の外部に出力することができるので、室内のインテリア性を低下させることなく、受聴場所を限定することのない良好な音場を広範囲に亘って形成することができる。これによって、受聴者は、音声出力装置１００の存在を意識することなく、室内の任意の場所で高品質かつ高音域の音声を受聴することができる。
【００２７】
また、実施の形態の音声出力装置１００によれば、低音スピーカー１０３から出力された低音域の音声をこもらせることなく、図１中紙面奥側に設けられた開口部を介して音声出力装置１００の外部に出力することができるので、室内のインテリア性を低下させることなく、受聴場所を限定することのない良好な音場を広範囲に亘って形成することができる。これによって、受聴者は、音声出力装置１００の存在を意識することなく、室内の任意の場所で高品質かつ高音域の音声を受聴することができる。
【００２８】
また、実施の形態の音声出力装置１００によれば、低音スピーカー１０３から直接出力された低音域の音声と、低音スピーカー１０３から出力された後に底板１０７に設けられた開口部を介して床などで反射された低音域の音声と、を受聴者側に伝播させることで、低音域の音声に広がりを持たせることができる。これによって、受聴者は、音声出力装置１００の存在を意識することなく、室内の任意の場所で高品質かつ高音域の音声を受聴することができる。
【００２９】
また、実施の形態の音声出力装置１００によれば、曲面部１０６が反射した音声が受聴対象側に優先的に伝播するので、受聴場所を限定することのない広範囲に亘る高音域の音声に関する良好な音場を受聴者を優先して形成することができる。これによって、受聴者は、音声出力装置１００の存在を意識することなく、室内の任意の場所で高品質かつ高音域の音声を受聴することができる。
【００３０】
また、実施の形態の音声出力装置１００によれば、曲面部材１０２における曲面部１０６を２次曲面とすることで、曲面部材１０２を容易に製造することができるので、受聴場所を限定することのない良好な音場を広範囲に亘って形成することができる音声出力装置１００の製造の容易化を図ることができる。
【００３１】
また、実施の形態の音声出力装置１００では、曲面部材１０２における曲面部１０６を２次曲面としたがこれに限るものではない。曲面部材１０２における曲面部１０６は、３次曲面であってもよい。曲面部材１０２における曲面部１０６を３次曲面とすることで、受聴場所を限定することのない良好な音場を一層広範囲に亘って形成することができる。これによって、受聴者は、音声出力装置１００の存在を意識することなく、室内の任意の場所で高品質かつ高音域の音声を受聴することができる。
【００３２】
また、実施の形態の音響機器収容装置２００によれば、収容部材２０１内に制御装置を収容し、スピーカー１０１を外部から見えにくい状態で配置することで、音響機器収容装置２００が受聴者に対して与える機械的な印象を低減し、音響機器収容装置２００を設置することによって室内のインテリア性を低下させることなく、受聴場所を限定することのない良好な音場を広範囲に亘って形成することができる。
【００３３】
また、実施の形態の音響機器収容装置２００によれば、制御装置と音声出力装置１００とをユニット化して配置することができるので、制御装置と音声出力装置１００との統一感を持たせ、音響機器収容装置２００を一つの家具として扱うことができる。これによって、制御装置や音声出力装置１００が受聴者に対して与える機械的な印象を一層低減し、音響機器収容装置２００を設置することによって室内のインテリア性を低下させることなく、受聴場所を限定することのない良好な音場を広範囲に亘って形成することができる。
【００３４】
また、実施の形態の音響機器収容装置２００によれば、収容部材２０１を間にして収容部材２０１の両側方に音声出力装置１００を配置することで、制御装置と音声出力装置１００とをユニット化することによる取り扱いの容易性を維持したまま、広範囲に亘って良好な音場を形成することができる。これによって、受聴者は、受聴場所を限定されることなく一層広範囲に亘って品質の高い音声を受聴することができる。
【実施例】
【００３５】
つぎに、上述した実施の形態の実施例について説明する。以下に説明する実施例は、上述した実施の形態の音声出力装置および音響機器収容装置をステレオ装置に適用した例である。
【００３６】
（実施例１）
図３は、実施例１のステレオ装置を示す斜視図である。図３に示したように、実施例１のステレオ装置３００は、たとえば、室内の壁３０１などに沿って設置して使用する。以降、ステレオ装置３００において壁３０１に対向する側を背面側とし、壁とは反対（受聴対象）側を正面側として説明する。
【００３７】
図４は、実施例１のステレオ装置を示す正面図（その１）である。図４に示したように、実施例１のステレオ装置３００は、収容部材４０１と音声出力装置４０２とを備えている。収容部材４０１は、ステレオ装置３００の中央部分に設けられている。図示を省略するが、収容部材４０１は、音声出力装置４０２が備えるスピーカー（図５および図６中符号５０１を参照）に音声信号を出力する制御装置が載置される収容棚を備えている。
【００３８】
ステレオ装置３００において収容棚の正面側には、引き分け式の一対の扉４０３が設けられている。扉４０３は、収容棚と外部とを仕切る位置（閉位置）と、収容棚を外部に開放する位置（開位置）との間でスライド自在に設けられている。図示を省略するが、収容棚はリニアモータが設けられており、扉４０３はリニアモータによって駆動されて、閉位置と開位置との間をスライドする。
【００３９】
リニアモータは、扉４０３ごとに設けられており、これによって扉４０３はそれぞれ独立して開位置から閉位置あるいは閉位置から開位置に向かってスライドする。収容棚に収容された制御装置や扉４０３の開閉は、上述したリモートコントローラなどを用いて動作させることができる。
【００４０】
音声出力装置４０２は、収容部材４０１を間にしてステレオ装置３００の両側方に設けられている。収容部材４０１および音声出力装置４０２は、ステレオ装置３００の下部に設けられた底板４０４によって支持されている。収容部材４０１および音声出力装置４０２の上側には、天板４０５が設けられている。底板４０４および天板４０５は、それぞれ一部材であってもよいし、収容部材４０１や音声出力装置４０２ごとに分割されていてもよい。
【００４１】
図５は音声出力装置４０２を示す斜視図であり、図６は天板４０５を取り外した状態の音声出力装置４０２を示す斜視図である。図７は、音声出力装置４０２を示す断面図である。図７には、音声出力装置４０２を水平方向に切断した断面図が示されている。ステレオ装置３００の両側方に設けられた音声出力装置４０２はいずれも同様の構造であるため、実施例１では、図４中向かって収容部材４０１の左側に設けられた音声出力装置４０２について説明する。
【００４２】
図５〜図７から分かるように、音声出力装置４０２は、スピーカー５０１と、スピーカー５０１に対向配置された曲面部材としてのリフレクタ板５０２と、を備えている。スピーカー５０１とリフレクタ板５０２との間には、底板４０４，天板４０５，スピーカー５０１およびリフレクタ板５０２によってホーン形状の空間５０３が形成されている。スピーカー５０１は、低音域の音声を出力する低音スピーカーとしてのウーファー５０４と、中音域および高音域の音声を出力する中高音スピーカーとしての同軸ミッド・ツィーター５０５と、を備えている。
【００４３】
音声出力装置４０２は、収容部材４０１を間にして、各音声出力装置４０２のバッフル面（図７中符号７０１を参照）を対向させる方向に配置されている。これにより、音声出力装置４０２におけるウーファー５０４および同軸ミッド・ツィーター５０５は、ステレオ装置３００の正面側ではなく、横向きに配置されている。同軸ミッド・ツィーター５０５は、ウーファー５０４よりも受聴対象側（正面側）に配置されている。また、同軸ミッド・ツィーター５０５は、ウーファー５０４よりも天地方向天側に配置されている。
【００４４】
公知の技術であるため詳細な図示および説明は省略するが、ウーファー５０４および同軸ミッド・ツィーター５０５は、それぞれ、ボイスコイルと、コイルの周囲に設けられた磁石と、ボイスコイルに取り付けられたスピーカーコーン（図７中符号７０４，７０５を参照）と、を備えている。ウーファー５０４および同軸ミッド・ツィーター５０５においては、それぞれ、磁石によってボイスコイル周辺に作られる磁場がボイスコイルを流れる電流をボイスコイルの巻き方向に対して左右方向に動かすことによる振動をスピーカーコーンに伝え、スピーカーコーンの振動によって空気を振動させることによって音声を出力する。
【００４５】
図７に示したように、リフレクタ板５０２は、スピーカー５０１のバッフル面７０１に対向する位置に設けられている。リフレクタ板５０２は、背面側と比較して正面側ほどスピーカー５０１から離間するように湾曲した形状を有している。リフレクタ板５０２は、ウーファー５０４に正対する平面部７０２と、同軸ミッド・ツィーター５０５に対向する位置で湾曲する曲面部７０３と、を備えている。
【００４６】
実施例１の曲面部７０３は、ウーファー５０４のスピーカーコーン７０４の中心部分から湾曲を開始し、正面側ほどスピーカー５０１から離間するように湾曲している。曲面部７０３の曲率は、ウーファー５０４のスピーカーコーン７０４や同軸ミッド・ツィーター５０５のスピーカーコーン７０５のサイズなどに応じて適宜設定することができる。
【００４７】
同軸ミッド・ツィーター５０５を間にしてウーファー５０４とは反対側（図５中紙面手前側）には、底板４０４，天板４０５，スピーカー５０１，およびリフレクタ板５０２によって開口部５０６が形成されている。開口部５０６は、スピーカー５０１とリフレクタ板５０２との間のホーン形状の空間５０３を装置外部に開放する。
【００４８】
また、ウーファー５０４を間にして同軸ミッド・ツィーター５０５とは反対側（図５中紙面奥側）には、底板４０４，天板４０５，スピーカー５０１，およびリフレクタ板５０２によって開口部５０７が形成されている。開口部５０７は、スピーカー５０１とリフレクタ板５０２との間のホーン形状の空間５０３を装置外部に開放する。
【００４９】
天板４０５には、スピーカー５０１とリフレクタ板５０２との間のホーン形状の空間５０３を音声出力装置４０２の外部に開放する開口部５０８が設けられている。底板４０４には、底板４０４の板圧方向に底板４０４を貫通する下部ダクト７０６が設けられている。下部ダクト７０６は、ウーファー５０４の少なくとも一部を音声出力装置４０２の外部に開放する開口部を実現する。
【００５０】
図８および図９は、音声出力装置４０２が出力した音声の伝播の様子について説明する説明図（（その１）および（その２））である。図８には、図６に示した状態の音声出力装置４０２において、ウーファー５０４が出力した音声の伝播の様子が示されている。図９には、図５に示した状態の音声出力装置４０２において、ウーファー５０４が出力した音声の伝播の様子が示されている。つぎに、図８および図９を用いて、ウーファー５０４が出力した音声の伝播の様子について説明する。
【００５１】
図８に示したように、ウーファー５０４が出力した音声は、上述したホーン形状の空間５０３によって増幅される（矢印Ａを参照）。開口部５０６を介して音声出力装置４０２の外部に出力される（図９中矢印Ａを参照）。音声出力装置４０２が出力した音声を受聴する受聴者には、増幅された音声が伝播する。これによって、受聴者は、ウーファー５０４が正面側に向けて配置された状態で出力した音声よりも、大きく迫力のある音声を受聴することができる。
【００５２】
より詳細には、図９に示したように、ウーファー５０４が出力した音声は、ホーン形状の空間５０３によって増幅された状態で、開口部５０８から音声出力装置４０２の外部に出力される。開口部５０８から音声出力装置４０２の外部に出力された音声は、受聴者の上側から受聴者に伝播する（矢印Ｂを参照）。これによって、受聴者は、ウーファー５０４が正面側に向けて配置された状態で出力した音声よりも広がりのある音声を受聴することができる。
【００５３】
また、ウーファー５０４が出力した音声は、底板４０４に設けられた下部ダクト７０６から音声出力装置４０２の外部へ出力された後、床面によって反射される。床面によって反射された音声は、受聴者の下側から受聴者に伝播する。これによって、受聴者は、ウーファー５０４が正面側に向けて配置された状態で出力した音声よりも一層広がりのある音声を受聴することができる。
【００５４】
また、ウーファー５０４を間にして同軸ミッド・ツィーター５０５とは反対側には開口部５０７が形成されているため、ウーファー５０４が出力した音声は開口部５０６，５０７，５０８から音声出力装置４０２の外部に出力されることとなる（矢印Ａ〜Ｃを参照）。これによって、ウーファー５０４が出力した音声をこもらせることなく音声出力装置４０２の外部に出力することができるので、受聴者は、クリアな音声を受聴することができる。
【００５５】
図１０および図１１は、音声出力装置４０２が出力した音声の伝播の様子について説明する説明図（（その３）および（その４））である。図１０には、図６に示した状態の音声出力装置４０２において、同軸ミッド・ツィーター５０５が出力した音声の伝播の様子が示されている。図１１には、図５に示した状態の音声出力装置４０２において、同軸ミッド・ツィーター５０５が出力した音声の伝播の様子が示されている。つぎに、図１０および図１１を用いて、同軸ミッド・ツィーター５０５が出力した音声の伝播の様子について説明する。
【００５６】
図１０および図１１に示したように、同軸ミッド・ツィーター５０５が出力した音声は、同軸ミッド・ツィーター５０５から直接、あるいは、リフレクタ板５０２の曲面部７０３によって反射されてから、開口部５０６，５０７，５０８を介して音声出力装置５０１の外部に出力される（矢印ａ〜ｆを参照）。
【００５７】
同軸ミッド・ツィーター５０５から音声出力装置４０２の外部に出力される音声の出力方向は、同軸ミッド・ツィーター５０５が出力した音声が曲面部７０３において反射される位置によって異なる。具体的に、同軸ミッド・ツィーター５０５が出力した音声は、同軸ミッド・ツィーター５０５から放射状に広がった状態で曲面部７０３に到達するので、曲面部７０３に対する入射角度が異なる。曲面部７０３からの反射角度は入射角度に応じて異なるので、同軸ミッド・ツィーター５０５が出力した音声を多方向に反射することができる（図１０中矢印ａ〜ｃを参照）。
【００５８】
さらに、入射した位置がスピーカー５０１のバッフル面７０１に対して湾曲しているため、スピーカー５０１とリフレクタ板５０２との対向方向に対する角度が同じであっても、同軸ミッド・ツィーター５０５の中心部に対して背面側に出力された音声であるか正面側に出力された音声であるかに応じて、同軸ミッド・ツィーター５０５が出力した音声の反射角度が異なる。このため、同軸ミッド・ツィーター５０５が出力した音声を多方向に反射することができる（図１１中矢印ｄ〜ｆを参照）。
【００５９】
リフレクタ板５０２によって多方向に反射された音声は、受聴者に対して多方向から伝播する。これによって、受聴者は、同軸ミッド・ツィーター５０５から直接出力された音声と、同軸ミッド・ツィーター５０５から出力されてリフレクタ板５０２によって多方向に反射されることで広範囲に拡散された音声とを受聴することになるので、同軸ミッド・ツィーター５０５が正面側に向けて配置された状態で出力した音声よりも広がりのある音声を受聴することができる。
【００６０】
また、同軸ミッド・ツィーター５０５からリフレクタ板５０２に入射した音声のうち、天地方向天側に向かって反射した音声は、開口部５０８から音声出力装置４０２の外部に出力される。開口部５０８から音声出力装置４０２の外部に出力された音声は、受聴者の上側から受聴者に伝播する。これによって、受聴者は、同軸ミッド・ツィーター５０５が正面側に向けて配置された状態で出力した音声よりも一層広がりのある音声を受聴することができる。
【００６１】
また、同軸ミッド・ツィーター５０５からリフレクタ板５０２に入射した音声のうち、天地方向地側に向かって反射した音声は、底板４０４によって天側に反射されて、開口部５０６，開口部５０７，あるいは開口部５０８から音声出力装置４０２の外部に出力される。これによって、受聴者は、同軸ミッド・ツィーター５０５が正面側に向けて配置された状態で出力した音声よりも一層広がりのある音声を受聴することができる。
【００６２】
図１２は、ステレオ装置３００を示す正面図（その２）である。図１２に示したように、ステレオ装置３００においては、開口部５０６を覆うグリルネット１２０１を設けることも可能である。グリルネット１２０１を取り付けることにより、音声出力装置４０２が与える機械的な印象を低減する効果が期待できる。
【００６３】
ここで、図１３は、比較用のステレオ装置を示す正面図である。図１３に示したように、比較用のステレオ装置１３００においては、ステレオ装置３００が備えるスピーカー５０１と同じスピーカー５０１が、ウーファー５０４および同軸ミッド・ツィーター５０５が正面を向くようにして配置されている。図１３中符号１３０１は、スピーカー５０１を覆うように設けられたグリルネットである。
【００６４】
図１２および図１３から分かるように、実施例１のステレオ装置３００は、比較用のステレオ装置１３００と比較して、ステレオ装置３００の正面から見た状態で音声を出力するための機構のうち外部から視認できる機構を少なくすることができる。これによって、ステレオ装置３００が受聴者に対して与える機械的な印象を低減することができる。
【００６５】
また、実施例１のステレオ装置３００においては、スピーカー５０１が横向きに配置されているので、ステレオ装置３００が受聴者に対して与える機械的な印象を一層低減することができる。そして、ステレオ装置３００が受聴者に与える機械的な印象を低減することで、ステレオ装置３００のインテリア性を向上させ、一般的な家具と同調させることが可能になる。
【００６６】
上述したように、実施例１のステレオ装置３００によれば、伝播させる音声の音域に応じて、低音域の音声は増幅し、中高音域の音声は拡散させることで、高音域の音声を広範囲に伝播させることができるので、室内のインテリア性を低下させることなく、受聴場所を限定することのない良好な音場を広範囲に亘って形成することができる。これによって、受聴者は、ステレオ装置３００の存在を意識することなく、室内の任意の場所で高品質かつ高音域の音声を受聴することができる。
【００６７】
また、実施例１のステレオ装置３００によれば、開口部５０６，５０７，５０８を設けることで、スピーカー５０１から出力された音声をこもらせることなく受聴者に伝播させることができるので、室内のインテリア性を低下させることなく、受聴場所を限定することのない良好な音場を広範囲に亘って形成することができる。これによって、受聴者は、ステレオ装置３００の存在を意識することなく、室内の任意の場所で高品質かつ高音域の音声を受聴することができる。
【００６８】
また、実施例１のステレオ装置３００によれば、曲面部７０３が反射した音声が受聴対象側に優先的に伝播するので、室内のインテリア性を低下させることなく、受聴場所を限定することのない良好な音場を広範囲に亘って形成することができる。これによって、受聴者は、ステレオ装置３００の存在を意識することなく、室内の任意の場所で高品質かつ高音域の音声を受聴することができる。
【００６９】
また、実施例１のステレオ装置３００によれば、リフレクタ板５０２における曲面部７０３を２次曲面とすることで、リフレクタ板５０２を容易に製造することができる。これによって、受聴場所を限定することなく広範囲に亘って良好な音場を形成することができるステレオ装置３００を、製造コストの増加を抑えて製造することができる。
【００７０】
また、実施例１のステレオ装置３００によれば、音声出力装置４０２におけるスピーカー５０１を外部から見えにくくすることで、ステレオ装置３００が受聴者に対して与える機械的な印象を低減し、ステレオ装置３００を設置することによって室内のインテリア性を低下させることなく、受聴場所を限定することのない良好な音場を広範囲に亘って形成することができる。
【００７１】
また、実施例１のステレオ装置３００によれば、制御装置と音声出力装置４０２とをユニット化して配置することができるので、制御装置と音声出力装置４０２との統一感を持たせ、ステレオ装置３００を一つの家具として扱うことができる。これによって、制御装置や音声出力装置４０２が受聴者に対して与える機械的な印象を一層低減し、ステレオ装置３００を設置することによって室内のインテリア性を低下させることなく、受聴場所を限定することのない良好な音場を広範囲に亘って形成することができる。
【００７２】
（実施例２）
図１４は、実施例２のステレオ装置が備える音声出力装置を示す正面図である。つぎに、上述した実施の形態の実施例２について説明する。実施例２においては、上述した実施例１と同一部分は同一符号で示し説明を省略する。図１４に示したように、実施例２のステレオ装置１４００が備える音声出力装置１４０１は、バッフル面１４０２を天地方向天側に向けて配置されたウーファー５０４および同軸ミッド・ツィーター５０５を備えている。
【００７３】
同軸ミッド・ツィーター５０５は、ウーファー５０４よりもステレオ装置１４００の正面側であって、音声出力装置１４０１および収容部材４０１の配列方向においてウーファー５０４よりもステレオ装置１４００の端側となる位置に設けられている。同軸ミッド・ツィーター５０５に対して、図１４中天地方向天側から対向する位置には、曲面部材としてのリフレクタ板１４０３が設けられている。
【００７４】
リフレクタ板１４０３は、ステレオ装置１４００の正面側程同軸ミッド・ツィーター５０５から離間するように湾曲する曲面部１４０４を備えている。曲面部１４０４は、さらに、音声出力装置１４０１および収容部材４０１の配列方向において端側よりもウーファー５０４側程同軸ミッド・ツィーター５０５から離間するように湾曲している。すなわち、実施例２のリフレクタ板１４０３が備える曲面部１４０４は、３次曲面形状を有している。底板４０４と天板４０５との間の空間１４０５は、図１４中紙面表裏方向に貫通している。
【００７５】
図１５および図１６は、音声出力装置１４０１が出力した音声の伝播の様子について説明する説明図（（その５）および（その６））である。図１５および図１６には、同軸ミッド・ツィーター５０５が出力した音声の伝播の様子が示されている。つぎに、図１５および図１６を用いて、同軸ミッド・ツィーター５０５が出力した音声の伝播の様子について説明する。図１５および図１６に示したように、同軸ミッド・ツィーター５０５が出力した音声は、同軸ミッド・ツィーター５０５から直接、あるいは、リフレクタ板１４０３の曲面部１４０４によって反射されてから音声出力装置１４０１の外部に出力される。
【００７６】
同軸ミッド・ツィーター５０５から音声出力装置１４０１の外部に出力される音声の出力方向は、同軸ミッド・ツィーター５０５が出力した音声が曲面部１４０４において反射される位置によって異なる。具体的に、同軸ミッド・ツィーター５０５が出力した音声は、同軸ミッド・ツィーターから放射状に広がった状態で曲面部１４０４に到達するので、曲面部１４０４に対する入射角度が異なる。曲面部１４０４からの反射角度は入射角度に応じて異なるので、同軸ミッド・ツィーター５０５が出力した音声を多方向に反射することができる。
【００７７】
さらに、入射した位置がバッフル面１４０２に対して湾曲しているため、スピーカー５０１とリフレクタ板１４０３との対向方向に対する角度が同じであっても、同軸ミッド・ツィーター５０５の中心部に対して背面側に出力された音声であるか正面側に出力された音声であるかに応じて、同軸ミッド・ツィーター５０５が出力した音声の反射角度が異なる。このため、同軸ミッド・ツィーター５０５が出力した音声を多方向に反射することができる。
【００７８】
リフレクタ板１４０３によって多方向に反射された音声は、受聴者に対して多方向から伝播する。これによって、受聴者は、同軸ミッド・ツィーター５０５から直接出力された音声と、同軸ミッド・ツィーター５０５から出力されてリフレクタ板１４０３によって多方向に反射されることで広範囲に拡散された音声とを受聴することになるので、同軸ミッド・ツィーター５０５が正面側に向けて配置された状態で出力した音声よりも広がりのある音声を受聴することができる。
【００７９】
上述したように、リフレクタ板１４０３における曲面部１４０４を３次曲面とすることで、２次曲面と比較して一層広範囲に亘って良好な音場を形成することができるので、ステレオ装置１４００が受聴者に対して与える機械的な印象を低減し、ステレオ装置１４００を設置することによって室内のインテリア性を低下させることなく、受聴場所を限定することのない良好な音場を広範囲に亘って形成することができる。これによって、受聴者は、ステレオ装置１４００の存在を意識することなく、室内の任意の場所で高品質の音声を受聴することができる。
【００８０】
以上説明したように、実施の形態の音声出力装置１００によれば、音声出力装置１００を設置することによって室内のインテリア性を低下させることなく、受聴場所を限定することのない良好な音場を広範囲に亘って形成することができる。これによって、受聴者は、音声出力装置１００の存在を意識することなく、室内の任意の場所で高品質の音声を受聴することができる。
【図１】
0004838846.tif 000002
【図２】
0004838846.tif 000003
【図３】
0004838846.tif 000004
【図４】
0004838846.tif 000005
【図５】
0004838846.tif 000006
【図６】
0004838846.tif 000007
【図７】
0004838846.tif 000008
【図８】
0004838846.tif 000009
【図９】
0004838846.tif 000010
【図１０】
0004838846.tif 000011
【図１１】
0004838846.tif 000012
【図１２】
0004838846.tif 000013
【図１３】
0004838846.tif 000014
【図１４】
0004838846.tif 000015
【図１５】
0004838846.tif 000016
【図１６】
0004838846.tif 000017